(57)【要約】      （修正有）【課題】薄型ハウジングにより直接共通プロトコルであるＵＳＢ挿孔の雌挿槽内に挿設でき、縮小化され、携帯に便利であるという効果が得られる薄型カードリーダを提供する。【解決手段】ハウジング１の一端に、メモリカードを挿設するための挿槽３が設けられ、前記挿槽内に、複数の前記メモリカードの導電部に接触するための金属ピン４が設けられる。また、ハウジングのもう一端の表面には、該一端側に設けられた共通プロトコルに対応するＵＳＢ挿孔の雌挿槽内の導電シートに直接に接触する金属ピンが設けられる。従来のカードリーダの体積制限を解消できる重要な技術手段は、共通プロトコルのＵＳＢプラグの金属カバーを採用しないということであり、これにより金属カバーによる仕様制限が解消される。【選択図】図１
0003130261.tif 000002
【実用新案登録請求の範囲】
【請求項１】
ハウジングの一端にメモリカードを挿設するための挿槽が設けられ、前記挿槽内に複数の前記メモリカードの導電部に接触するための金属ピンが設けられる薄型カードリーダであって、
ハウジングのもう一端の表面に、該一端側に設けられた共通プロトコルに対応するＵＳＢ挿孔の雌挿槽内の導電シートに接触できる金属貼りシートが設けられることを特徴とする薄型カードリーダ。
【請求項２】
前記薄型カードリーダの挿槽の内部に滑り止め構造が設けられ、前記メモリカードが挿設される時、滑り落ちることないように保持することを特徴とする請求項１に記載の薄型カードリーダ。
【請求項３】
前記ハウジングの表面に共通プロトコルのＵＳＢプラグの代わりに、金属貼りシートが設けられ、これにより金属カバーによる限制が解消され、軽薄短小化の特殊な機能が実現されることを特徴とする請求項１に記載の薄型カードリーダ。
【請求項４】
前記ハウジングの表面に設けられる金属貼りシートは、電気導通ができる金属であることを特徴とする請求項１に記載の薄型カードリーダ。 
【考案の詳細な説明】
【技術分野】
【０００１】
本考案は、薄型カードリーダに関し、特に、メモリカードを読取る薄型カードリーダに関する。
【背景技術】
【０００２】
科学技術の発展とともに、大部分の製品が、デジタル化へ向かって開発されている。その中でも良く知られまた好まれているデジタルカメラは、上記の概念下で開発された商品である。データの蓄積や読取り技術の向上により、体積が小さく且つ容量が大きいメモリカードが開発されたため、デジタルカメラは、より多数の写真を撮影してメモリカードに蓄積することができるようになった。その写真量は、従来式カメラを、遥かに超過する。また、ユーザのデジタルカメラに対する要求に応じて、各種類の仕様や容量のメモリカードが登場した。例えば、ＭｉｎｉＳＤやＭｉｃｒｏＳＤは、それぞれ異なる体積を有するＳＤメモリカードである。
【０００３】
メモリカードが登場したため、カードリーダに対する需要も発生した。カードリーダは、メモリカードとコンピュータホストとの間のインターフェースの一つであり、これにより、メモリカード内のデータを、コンピュータホストが読取ってコンピュータホストに蓄積することができる。様々なメモリカードの仕様やフォーマットに応じて、市販のカードリーダの大部分は、多数の仕様やフォーマットを読取れるものであり、これにより、１種類のメモリカードに対して１台のカードリーダを買わなければならないという問題は解消できる。
【０００４】
カードリーダは、メモリカードとコンピュータホストとの間のインターフェースの一つで、コンピュータホストのＵＳＢ挿孔によりデータ伝送を行い、ホットプラグ方式により、快速にコンピュータホストによって読取られる。しかし、市販のカードリーダは、メモリカードが小さいのに、体積が大きくて、好ましい構造設計だと言えず、空間を取るだけでなく、製造コストも余計に掛かる。また、上記のようなカードリーダは、体積が大きいだけでなく、重量も重いため、カードリーダを直接コンピュータホストのＵＳＢ挿孔に挿設すると、他の装置と互いに干渉する。そのため、別のＵＳＢ延長線が必要となり、直接ＵＳＢ挿孔に挿設できないカードリーダは、使用上便利でない。
【０００５】
本考案者は、従来のカードリーダの体積が大き過ぎることによる不便を解消するため、当該業界においての長年経験を基づいて、慎重に研究開発することにより、体積が小さく、重量が軽い薄型カードリーダを提案した。体積が小さいため、ＵＳＢ延長線を要らず、カードリーダを直接ＵＳＢ挿孔に挿設でき、これにより、カードリーダの便利性が向上され、そして、製造コストの節約ができ、より実用的な提案である。
【考案の開示】
【考案が解決しようとする課題】
【０００６】
本考案の主な目的は、従来の体積が大きく且つ空間を取るという問題を解決でき、薄型ハウジングにより直接共通プロトコルであるＵＳＢ挿孔の雌挿槽内に挿設でき、縮小化され、携帯に便利であるという効果が得られる薄型カードリーダを提供する。
【０００７】
本考案の他の目的は、体積が比較的大きいカードリーダを薄型カードリーダに設計し直すことにより、カードリーダハウジングを共通プロトコルであるＵＳＢ挿孔の雌挿槽内に挿設でき、カードリーダをＵＳＢ線によってホットプラグ起動しなければならないとう問題を解消できる薄型カードリーダを提供する。
【０００８】
また、本考案は体積の制限を突破し、体積が比較的大きいためスペースを取るカードリーダを、他の装置と互いに干渉しない薄型ハウジング構造に設計し直すことにより、製造コストが大幅に低減され、また、ＵＳＢ延長線を必要とせず、余計にコストが掛かることが無く、カードリーダ市場においての競争力や実用性が向上できる薄型カードリーダを提供する。
【課題を解決するための手段】
【０００９】
本考案は、主な手段として、矩形の薄型ハウジングをカードリーダの主体とし、前記ハウジングは、幅と厚さがそれぞれ共通プロトコルであるＵＳＢ挿孔の幅と厚さより小さく、その一端にメモリカードが挿設されるための挿槽が設けられ、前記挿槽内に複数の前記メモリカードの導電部に接触するための金属ピンが設けられる。また、ハウジングのもう一端の表面に、該一端側に設けられた共通プロトコルに対応するＵＳＢ挿孔の雌挿槽内の導電シートに接触できる金属貼りシートが設けられる。また、前記メモリカードの挿槽の内部に、メモリカードが滑り落ちることないための滑り止め構造が設けられる。
【００１０】
上記のように、本考案において、従来のカードリーダの体積制限を解消できる重要な技術手段は、共通プロトコルのＵＳＢプラグの設計を採用しないということである。即ち、共通プロトコルのＵＳＢプラグの金属カバーを除くことにより、金属カバーによる仕様制限が解消され、また、薄型カードリーダが、他の装置に互いに干渉するのを無くすことができる。
【００１１】
また、本考案に係わる薄型カードリーダは、カードリーダ全体の機能が集約され、直接ＵＳＢ挿孔の雌挿槽内に挿設できる薄型構造を実現し、共通プロトコルのＵＳＢプラグの金属カバーを必要としないことにより、複雑の製造工程を省略でき、また、コストを低減でき、そのため、当該業界が生産の上により効率的に生産できる。
【００１２】
最後に、本考案に係わる薄型カードリーダは、カードリーダ機能を薄型ハウジングに集約するため、当該薄型ハウジングは、小型の外観と造型により、カードリーダを素早く共通プロトコルのＵＳＢ挿孔の雌挿槽内に挿設できるだけでなく、携帯にも便利であり、例えば、財布や携帯電話の下がり飾り或いはネックリング等により携帯できる。この新鋭且つモダンな造型設計は、新鮮さと変異さを追及することが好きである若者にとって、大きい魅力になり、市場に登場すると、業者は、それにより、商業的成功を収めることができるであろう。
【考案を実施するための最良の形態】
【００１３】
以下、図面を参照しながら、実施例を挙げて、本考案を詳しく説明する。当該技術を良く分かる熟練者であれば、簡単に実施できる。
【００１４】
図１は、本考案に係わるより良い実施例であり、矩形の薄型ハウジング１をカードリーダの主体としている。前記ハウジング１は、幅と厚さがそれぞれ共通プロトコルであるＵＳＢプラグの幅と厚さより小さく、そのハウジング１の一端にメモリカードが挿設されるための挿槽３が設けられ、前記挿槽３内に複数の前記メモリカードの導電部に接触するための金属貼りシート４が設けられる。ハウジングのもう一端の表面には、当該一端側に設けられた共通プロトコルに対応するＵＳＢ挿孔の雌挿槽内の導電シートに接触できる金属貼りシート２が設けられる。
【００１５】
更に、図１を参照すると、前記挿槽３は、ハウジング１の金属貼りシート２の反対側であるもう一端に位置し、矩形開口が内部まで延伸することにより形成される。また、前記挿槽３内の内部側の一端に、メモリカード上の導電部に接触してデータを伝送する金属ピン４がある。また、挿槽３の開口は、メモリカードを容易に引き出す開口構造により、メモリカードを引き出すことが簡単である。
【００１６】
図２は、薄型カードリーダの側面図である。前記薄型カードリーダの主体は、矩形ハウジング１で、その側面に矩形開口が内部まで延伸することにより、挿槽３が形成される。また、前記挿槽３は、内部に金属ピン４が設けられる。挿槽３の大きさはメモリカードを挿設できるように設計される。メモリカードが挿槽３の開口から内部まで挿設された時、メモリカードに設けられた導電部が、前記金属ピン４に接触してデータ伝送を行う。
【００１７】
図３Ａは、本考案に係わる薄型カードリーダの使用状態図である。前記コンピュータホスト５は、裏面にＵＳＢプラグをホットプラグ機能により使用するための四つの共通プロトコルのＵＳＢ挿孔６が設けられている。その一つのＵＳＢ挿孔６に、予めメモリカード７の薄型カードリーダ８が挿設されている。前記薄型カードリーダ８は、幅と厚さが、それぞれ共通プロトコルのＵＳＢ挿孔６の幅と厚さにより小さく、これにより、前記薄型カードリーダ８を直接ＵＳＢ挿孔６の雌挿槽６１内に挿設でき（一部のカードリーダ８のハウジングは、ＵＳＢ挿孔の外へ露出する）、カードリーダ８のハウジング表面に設けられた金属貼りシートが、前記雌挿槽６１内の導電シートに接触して、データ伝送を行う。
【００１８】
図３Ｂは、図３Ａの拡大立体図である。前記ＵＳＢ挿孔６は、一般の共通プロトコルのＵＳＢ挿孔６であり、大きく分けて、雌挿槽６１と雄プラグ６２の２部分がある。前記雌挿槽６１の内部には導電シートが設けられており、薄型カードリーダ８をＵＳＢ挿孔６に挿設する時は、直接前記雌挿槽６１内に挿設する（雄プラグ６２を覆わない）。
【００１９】
図４を参照すると、前記薄型カードリーダ８は、表面に複数の金属貼りシート２が設けられ、前記金属貼りシート２は、ＵＳＢ挿孔の雌挿槽の導電シートに接触することに供される。前記金属貼りシート２により、データ伝送が行われる。メモリカード７の表面の導電部９は、複数の金属貼りシートであり、薄型カードリーダ８の挿槽内の金属ピンに接触して、データ伝送を行う。
【００２０】
以上は、ただ、本考案のより良い実施例であり、本考案は、それによって制限されず、本考案に係わる精神に従って行う等価の修正や変更は、全てが、本考案の実用新案登録請求の範囲内に含まれる。
【図面の簡単な説明】
【００２１】
【図１】本考案に係わる薄型カードリーダの実施例の斜視図である。
【図２】本考案に係わる薄型カードリーダの実施例の断面図である。
【図３Ａ】本考案に係わる薄型カードリーダの使用状態図である。
【図３Ｂ】図３Ａの局部拡大の斜視図である。
【図４】本考案に係わる薄型カードリーダの他の実施例の斜視図である。
【符号の説明】
【００２２】
１  ハウジング
２  金属貼りシート
３  挿槽
４  金属ピン
５  コンピュータホスト
６  ＵＳＢ挿孔
６１  毋挿槽
６２  雄プラグ
７  メモリカード
８  薄型カードリーダ
９  導電部 
【図１】
0003130261.tif 000003
【図２】
0003130261.tif 000004
【図３Ａ】
0003130261.tif 000005
【図３Ｂ】
0003130261.tif 000006
【図４】
0003130261.tif 000007